(57)【要約】【課題】  多数のモニターディスプレイに対して、モニター表示に関する項目を短時間で設定することができ、設定作業性を簡素化したモニターディスプレイ設定システムを提供すること。【解決手段】調整機能を有するモニターディスプレイと、このモニターディスプレイと通信手段により接続される管理用パソコン３とからなるモニターディスプレイ設定システムであって、モニターディスプレイ１は、モニターの使用に関する項目を設定するための設定操作部１２と、設定操作部１２により設定された設定データを記憶するメモリ１１と、メモリ１１に記憶された設定データを管理用パソコン３に送信するための設定データ送信手段２０ａとを備え、管理用パソコン３は、モニターディスプレイ１のメモリ１１に記憶されている設定データを取得する設定データ取得手段３０ａと、取得した設定データを他のモニターディスプレイ１Ｂへ転送する設定データ転送手段３０ｂとを備えている。【選択図】図２
2006293001.tif 000002
【特許請求の範囲】
【請求項１】
調整機能を有するモニターディスプレイと、このモニターディスプレイと通信手段により接続されるモニター管理装置とからなるモニターディスプレイ設定システムであって、
モニターディスプレイは、
モニターの使用に関する項目を設定するための設定手段と、
設定手段により設定された設定データを記憶する記憶手段と、
記憶手段に記憶された設定データをモニター管理装置に送信するための設定データ送信手段とを備え、
モニター管理装置は、
モニターディスプレイの記憶手段に記憶されている設定データを取得する設定データ取得手段と、
取得した設定データを他のモニターディスプレイへ転送する設定データ転送手段とを備えていることを特徴とするモニターディスプレイ設定システム。
【請求項２】
請求項1に記載のモニターディスプレイ設定システムを構成するモニターディスプレイであって、
モニターの使用に関する項目を設定するための設定手段と、
設定手段により設定された設定データを記憶する記憶手段と、
記憶手段に記憶された設定データをモニター管理装置に送信するための設定データ送信手段とを備えていることを特徴とするモニターディスプレイ。
【請求項３】
前記設定データには、画面表示の色合い、輝度、画面表示位置、言語、通信機能のうちの少なくとも１つが含まれることを特徴とする請求項２に記載のモニターディスプレイ。
【請求項４】
記憶手段に記憶されている設定データを外部送信させるための第１操作手段と、
他のモニターディスプレイで設定された設定データを受信するための第２操作手段とを備えていることを特徴とする請求項２又は３に記載のモニターディスプレイ。
【請求項５】
前記第１操作手段と第２操作手段は、ＯＳＤによるものであることを特徴とする請求項４に記載のモニターディスプレイ。
【請求項６】
前記設定データ送信手段は、シリアル通信、ＬＡＮのいずれかによる通信手段により設定データを送信することを特徴とする請求項２〜５のいずれか１項に記載のモニターディスプレイ。
【請求項７】
前記設定データ送信手段は、外部記憶媒体を介して設定データを送信することを特徴とする請求項２〜５のいずれか１項に記載のモニターディスプレイ。
【請求項８】
設定手段により設定された設定データの一部もしくは全部を書き換え変更ができないように設定するためのデータロック手段を備えていることを特徴とする請求項２〜７のいずれか１項に記載のモニターディスプレイ。
【請求項９】
モニター管理装置から設定データを受信する設定データ受信手段と、
既に設定データが記憶されている前記記憶手段に、受信した設定データを上書き保存させる設定データ置換手段とを備えていることを特徴とする請求項２〜８のいずれか１項に記載のモニターディスプレイ。
【請求項１０】
請求項１に記載のモニターディスプレイ設定システムを利用したモニターディスプレイ設定方法であって、
モニターディスプレイにおいて、モニター表示に関する項目を設定した設定データを記憶するステップと、
記憶された設定データをモニター管理装置からの取得要求に応じて送信するステップと、
モニター管理装置が取得した設定データを他のモニターディスプレイへ転送するステップと、
他のモニターディスプレイが、受信した設定データに基づいてモニター表示に関する項目を自動調整するステップとを有することを特徴とするモニターディスプレイ設定方法。
【請求項１１】
モニター管理装置が取得した設定データを設定データファイルとして保存するステップを更に有することを特徴とする請求項１０に記載のモニターディスプレイ設定方法。
【発明の詳細な説明】
【技術分野】
【０００１】
本発明は、調整機能を有するモニターディスプレイと、このモニターディスプレイと通信手段により接続されるモニター管理装置とからなるモニターディスプレイ設定システム、このシステムを構成するモニターディスプレイ、及びその設定方法に関するものである。
【背景技術】
【０００２】
ＬＣＤ，ＰＤＰ，ＥＬ等のモニターディスプレイには、自動設定機能が備わっており、モニターディスプレイ自身がスクリーンディスプレイ信号を判断して表示位置などを自動設定することができる（例えば、下記特許文献１）。モニターディスプレイにも種々の構成のものがあり、オフィスや家庭で使用される汎用パソコンのディスプレイから、生産設備や産業機器に組み込まれるディスプレイまで種々のタイプがある。汎用パソコンに使用されるモニターディスプレイの場合、ＤＤＣ(Display Data Channel：登録商標)のような規格を大半が利用されているため自動設定機能が働き、何らの手動設定を行わなくても所望の表示が行われる。一方、主に生産設備等の専用品のモニターディスプレイとして利用される場合、ビデオカードが上記規格に対応していない等、自動設定機能に加え手動設定機能を要することがあった。
【０００３】
図８は、モニターディスプレイ１００の構成を示す機能ブロック図である。ＣＰＵ１０１は、ディスプレイ１００内の動作制御を行う。設定スイッチ１０２により、画面の状態やモニターディスプレイの機能に関する設定を行うことができる。設定されたデータは、メモリ１０３に保存される。ディスプレイ画質の調整を行うときは、ホストコンピュータ１１０の映像入力部１１１から映像信号を入力する。入力された映像信号は、映像入力部１０６により受信され、画質設定回路１０３を介してモニター画面１０５に表示される。設定スイッチ１０２による設定は、画質設定回路１０３にて反映されるので、画面上で設定内容を確認することができる。また、ディスプレイの画質調整を行うためのＯＳＤ(on-screen display)画面が表示されるので、画質設定を行うときは、画面に表示される操作用メニューにより設定スイッチ１０２による設定を行うことができる。
【０００４】
一般にモニター画面の調整を行う場合の手順を図９により説明する。図９（ａ）は自動設定する場合の手順が示されており、まず、画質設定を行うためのＯＳＤ画面を起動させる（＃１）。次に、自動設定動作を起動させる（＃２）。これにより、ホストコンピュータから入力されている映像の表示位置などが自動設定される。自動設定で設定できない項目や、更に微調整を行いたい場合は、手動で設定を行う（＃３）。設定されたデータは、メモリ１０３に記憶される。自動設定せずに、全てを手動設定する場合は（ｂ）に示すような手順で各項目を手動設定し、設定されたデータは、同じくメモリ１０３に記憶される。
【０００５】
【特許文献１】特開２００４−２８７３８７号公報
【発明の開示】
【発明が解決しようとする課題】
【０００６】
かかる従来技術による設定方法によれば、ホストコンピュータからの映像信号の入力に基づいて、１台１台設定を行う必要がある。例えば、産業機械を量産する場合、１台ごとに設定画面を起動させて設定を行うことは非常に煩雑な作業となる。また、自動設定を行った後、手動設定を行う必要性がある場合、量産される全てのモニターディスプレイに対しても同じような手動設定を行わざるを得ないようなケースも十分に考えられる。この場合は、更に設定作業の煩雑さは増大することになる。
【０００７】
本発明は上記実情に鑑みてなされたものであり、その課題は、多数のモニターディスプレイに対して、モニター表示に関する項目を短時間で設定することができ、設定作業性を簡素化したモニターディスプレイ設定システム、モニターディスプレイ、及び、モニターディスプレイ設定方法を提供することである。
【課題を解決するための手段】
【０００８】
上記課題を解決するため本発明に係るモニターディスプレイ設定システムは、
調整機能を有するモニターディスプレイと、このモニターディスプレイと通信手段により接続されるモニター管理装置とからなるモニターディスプレイ設定システムであって、
モニターディスプレイは、
モニターの使用に関する項目を設定するための設定手段と、
設定手段により設定された設定データを記憶する記憶手段と、
記憶手段に記憶された設定データをモニター管理装置に送信するための設定データ送信手段とを備え、
モニター管理装置は、
モニターディスプレイの記憶手段に記憶されている設定データを取得する設定データ取得手段と、
取得した設定データを他のモニターディスプレイへ転送する設定データ転送手段とを備えていることを特徴とするものである。
【０００９】
この構成によるモニターディスプレイ設定システムの作用・効果を説明する。モニターディスプレイには、モニターの使用に関する項目を設定するための設定手段が設けられ、設定されたデータは記憶手段に記憶される。記憶手段に記憶された設定データは、モニター管理装置へ送信される。設定データの送信は、例えば、モニター管理装置からのアクセスに基づいて行われる。モニター管理装置は、取得した設定データを他のモニターディスプレイに対して転送することができる。すなわち、モニター管理装置と通信可能なモニターディスプレイが多数存在する場合、そのうちの１つのモニターディスプレイで設定を行えば、他のモニターディスプレイに対しては、その設定データを転送することができるので、１台１台詳細な設定を行う手間を省くことができる。その結果、多数のモニターディスプレイに対して、モニター表示に関する項目を短時間で設定することができ、設定作業性を簡素化したモニターディスプレイ設定システムを提供することができる。
【００１０】
本発明に係るモニターディスプレイ設定システムを構成するモニターディスプレイは、
モニターの使用に関する項目を設定するための設定手段と、
設定手段により設定された設定データを記憶する記憶手段と、
記憶手段に記憶された設定データをモニター管理装置に送信するための設定データ送信手段とを備えていることを特徴とするものである。
【００１１】
この構成によると、記憶手段に記憶された設定データは、モニター管理装置を介して他のモニターディスプレイに対して転送することができる。その結果、多数のモニターディスプレイに対して、モニター表示に関する項目を短時間で設定することができ、設定作業性を簡素化したモニターディスプレイを提供することができる。
【００１２】
本発明に係る前記設定データには、画面表示の色合い、輝度、画面表示位置、言語、通信機能のうちの少なくとも１つが含まれることが好ましい。これらの設定データを他のモニターディスプレイに対して転送することで、画面表示の色合い等の設定作業を簡素化することができる。
【００１３】
本発明において、記憶手段に記憶されている設定データをモニター管理装置に送信させるための第１操作手段と、
他のモニターディスプレイで設定された設定データを受信するための第２操作手段とを備えていることが好ましい。
【００１４】
第１操作手段により、記憶手段に記憶されている設定データをモニター管理装置へ転送（アップロード）させることができる。また、第２操作手段により、他のモニターディスプレイで設定された設定データをモニター管理装置から取得（ダウンロード）することができる。これにより、設定データの転送や取得を容易に行うことができ、設定作業性を改善することができる。
【００１５】
本発明に係る第１操作手段と第２操作手段は、ＯＳＤによるものであることが好ましい。ＯＳＤを利用することで、設定作業を行うときの操作を分かり易くすることができる。
【００１６】
本発明に係る設定データ送信手段は、シリアル通信、ＬＡＮのいずれかによる通信手段により設定データを送信することが好ましい。また、外部記憶媒体を介して設定データを送信することが好ましい。シリアル通信やＬＡＮにより、設定データをモニター管理装置へ転送することができる。また、外部記憶媒体に設定データを記憶させることで、外部記憶媒体を介してモニター管理装置に設定データを移動させることができる。
【００１７】
本発明において、設定手段により設定された設定データの一部もしくは全部を書き換え変更ができないように設定するためのデータロック手段を備えていることが好ましい。
【００１８】
例えば、生産設備の工場でモニターディスプレイが組み込まれた、あるいは、接続される生産設備を量産して、本発明による方法で設定データを設定する場合、モニターディスプレイが生産設備を利用する各ユーザーに手渡された後、ユーザー側で設定データを変更して欲しくない場合がある。例えば、画面表示の位置、通信機能に関する項目が例としてあげられる。その場合、データロック手段を設けておき、設定データの一部もしくは全部を書き換え変更できないようにしておく。これにより、不用意に設定データが変更されて誤作動が生じること等を未然に防止することができる。例えば、モニターディスプレイのＯＳＤや設定スイッチでの設定を禁止し、モニター管理装置側からの設定変更ができるようにすることができる。
【００１９】
本発明において、モニター管理装置から設定データを受信する設定データ受信手段と、
既に設定データが記憶されている前記記憶手段に、受信した設定データを上書き保存させる設定データ置換手段とを備えていることが好ましい。
【００２０】
モニター管理装置から設定データを受信した場合は、この設定データに基づいて自動的にモニター表示に関する調整が行われる。また、既に記憶手段に設定データが設定されている状態であっても、設定データを受信した場合は、受信した設定データが上書き保存される。これにより、最新の設定データを簡単に設定することができる。
【００２１】
本発明に係るモニターディスプレイ設定システムを利用したモニターディスプレイ設定方法は、
モニターディスプレイにおいて、モニター表示に関する項目を設定した設定データを記憶するステップと、
記憶された設定データをモニター管理装置からの取得要求に応じて送信するステップと、
モニター管理装置が取得した設定データを他のモニターディスプレイへ転送するステップと、
他のモニターディスプレイが、受信した設定データに基づいてモニター表示に関する項目を自動調整するステップとを有することを特徴とするものである。
【００２２】
また、モニター管理装置が取得した設定データを設定データファイルとして保存するステップを更に有することが好ましい。
【００２３】
かかるモニターディスプレイ設定方法による作用・効果は、既に説明したとおりである。
【発明を実施するための最良の形態】
【００２４】
本発明に係るモニターディスプレイ設定システムの好適な実施形態を図面を用いて説明する。図１は、システムの概要を示す模式図である。
【００２５】
＜システムの構成＞
図１において、モニターディスプレイ１（以下、単に「モニター」と称する）が示されており、各モニター１はモニター表示に関する項目が設定される。かかるシステムは、モニター１が使用される生産設備等を生産する事業者において特に有用であり、個々のモニター１に対する設定を容易に行うことができる。多数のモニター１のうち、特定の１つのモニター１Ａについて、接続されるパソコンに対し、画面状態や通信設定の調整を行い、最適な状態を構築する。このモニター１Ａに関して設定された設定データは、管理装置（パソコン等）を介し、他のモニター１Ｂ群に対して送信される。また、パソコン２により設定データの設定や変更を行うこともできる。
【００２６】
図２は、システムの機能を示すブロック図である。ＣＰＵ１０は、モニター１内の各部に対する制御を行い、そのための制御プログラムが格納されている。メモリ１１（記憶手段に相当）は、モニターの表示に関する項目を設定した場合、その設定データが記憶される。メモリ１１は、適宜の半導体メモリにより構成される。
【００２７】
設定操作部１２は、表示に関する項目を設定するための操作機能を提供する。これは、モニター画面に設けられるタッチパネルの形で提供され、画面上の所定箇所を押圧することで、種々のデータを設定することができる。設定操作部１２の構成については、タッチパネルに限定されるものではなく、その他の機械的なスイッチ（押しボタン）やダイヤル操作部により構成してもよいし、タッチパネルとその他の操作方式を組み合わせてもよい。例えば、色合いの調整については、押しボタンにより行うようにしてもよい。設定項目の具体例については、色合い（輝度、コントラストなど）、表示位置（水平位置と垂直位置）、クロック位相の調整、通信機能の調整があげられる。
【００２８】
自動設定手段１２ａは、設定データを自動的に設定するための機能を提供する。この機能により、色合いや表示位置などの項目が自動設定されるが、全ての項目を自動設定するのではなく、特定の項目のみ自動設定を行い、そのほかの項目については手動設定するようにすることができる。また、自動設定した項目についても、微調整を行いたい場合は、手動設定により修正することが可能である。
【００２９】
第１操作手段１２ｂは、メモリ１１に記憶されている設定データを管理用パソコン３に送信させるための操作機能を提供する。すなわち、設定データを管理用パソコン３にアップロードさせる。第２操作手段１２ｃは、他のモニター１Ｂで設定された設定データを受信するための操作機能を提供する。すなわち、管理用パソコン３が他のモーター１Ｂから設定データを取得していれば、管理用パソコン３にアクセスして設定データをダウンロードする。
【００３０】
データロック手段１３は、設定データが他のモニター１Ｂに対して転送された場合、設定データの変更ができないようにロックをかける機能を有する。ロックをかける場合は、設定データの全てに対して行うこともできるが、一部に対して行うこともできる。特に、設定内容を変更すると不具合が生じるような項目については、ロックしておくことが好ましい。例えば、通信機能（例えば、パリティの設定）などはロックをしておくことで、通信に不具合が生じないようにしておくことができる。ロック解除手段１４は、データロック手段１３によりロックした状態を解除するための手段を提供する。ロックをする場合は、例えば、解読用のキー、パスワードを設定することで、ロックを掛けることができる。
データロック手段１３は、データをロックしたい場合に、モニターの調整画面（ＯＳＤやスイッチ）または管理用パソコン３（設定データが他のモニター１Ｂに対して転送される）によりロックすることができる。なお、ロック解除する時はデータロック手段１３と同じ方法で解除できるようにしてもよい。
【００３１】
設定データ置換手段１５は、管理用パソコン３から設定データを取得した場合、これをメモリ１１に記憶させる機能を有する。メモリ１１に既に設定データが記憶されている場合は、これに上書き保存させる機能を有する。ただし、上書き保存をするような場合は、設定データを取得して直ちに上書き保存するのではなく、画面上にメッセージを出すようにしてＯＫであれば上書き保存するようにすることが好ましい。
【００３２】
映像入力部１６は、モニター表示に関する事項を設定する場合に、パソコン２の映像出力部２ａから出力される映像信号を受信する。受信された映像信号は、画質設定回路１７を介してモニター画面１９に表示される。設定操作部１２による設定は、画質設定回路１７にて反映されるので、画面上で設定内容を確認することができる。また、モニターの画質調整を行うためのＯＳＤ(on-screen display)画面１８が表示されるので、画質設定を行うときは、画面に表示される操作用メニューにより設定を行うことができる。
【００３３】
データ送受信部２０は、管理用パソコン３とデータのやり取りを行う機能を提供する。設定データ送信手段２０ａは、メモリ１１に記憶されている設定データを管理用パソコン３に送信する機能を有する。設定データ受信手段２０ｂは、管理用パソコン３から他のモニター１Ｂで設定された設定データを受信する。受信された設定データは、メモリ１１に記憶される。
【００３４】
次に、管理用パソコン３の主要な機能を説明する。管理用パソコン３は、汎用のパソコンに管理用ソフトウェアをインストールすることで構成することができる。データ送受信部３０は、モニター１とデータのやり取りを行う機能を提供する。設定データ取得手段３０ａは、モニター１Ａにて設定された設定データを取得する機能を有する。取得された設定データは、設定データ記憶部３１に記憶される。設定データ転送手段３０ｂは、設定データ記憶部３１に記憶されている設定データを他のモニター１Ｂに対して転送する機能を有する。設定データ記憶部３１は、例えば、ハードディスクにより構成される。設定データを記憶する場合は、所定のファイル形式、例えば、テキストファイルにより保存される。ＣＰＵ３２は、管理用パソコン３の各部の動作を制御する。
【００３５】
管理用パソコン３は、多数のモニター１と通信をすることが可能であり、図２の例では、他のモニター１Ｂも上記説明したモニター１Ａと同じ機能を備えている。従って、その説明については省略する。パソコン３とモニター１とは、シリアル通信やＬＡＮ等の通話手段によりデータ通信を行うことができる。通信の形態は有線であるか無線であるかを問わないものである。
【００３６】
＜設定作業＞
次に、モニター１の設定を行う場合の手順を説明する。図３は、モニター１Ａについて設定を行う場合の手順を示すフローチャートである。設定を開始する場合、自動設定か手動設定により調整を行う。自動設定を行う場合にも、全てが自動設定ではなく、一部を手動設定で行うこともできる。また、自動設定で行った項目について手動で微調整を行うこともできる。設定が完了すると、設定データをメモリ１１に記憶させる（＃２２，２３）。図１にも示したように、設定対象のモニター１は多数存在するが、最初の１台だけ１からの設定作業を行えば、他のモニター１Ｂについては、そのような設定作業を行う必要はない。
【００３７】
次に、管理用パソコン３に設定データを記憶させる手順を図４のフローチャートにより説明する。パソコン３の設定データ管理用のソフトウェアを起動させる（＃３１）。パソコンからモニター１Ａを指定して、設定データの送信要求を出す（＃３２）。モニター１Ａのデータ送受信部２０は、パソコン３からの要求信号を受信する（＃３３）。ＣＰＵ１０は、この要求信号を受けて、メモリ１１から設定データを読み出す（＃３４）。読み出された設定データは、設定データ送信手段２０ａによりパソコン３に送信される（＃３５）。送信された設定データは、パソコン３も設定データ取得手段３０ａにより受信される（＃３６）。取得された設定データは、テキストファイル等のファイル形式で設定データ記憶部３１に記憶される。
【００３８】
次に、管理用パソコン３に記憶されている設定データを他のモニター１Ｂに対して展開（転送）する場合の手順を図５のフローチャートにより説明する。まず、パソコン３の管理用ソフトウェアを起動させる（＃４１）。次に、設定データ記憶部３１に記憶されている設定データファイルを読み出す（＃４２）。次に、読み出した設定データを設定データ転送手段３０ｂにより、他のモニター１Ｂに対して転送させる（＃４３）。転送対象のモニター１Ｂの台数については、特に限定されるものではなく、通信手段の形態に応じたデータ転送を行うことができる。また、特定のモニター１Ｂを指定して設定データを転送することもできる。設定データを転送すると、各モニター１Ｂの設定データ受信手段２０ｂにより設定データを受信する（＃４４）。受信された設定データは、メモリ１１に記憶される。これにより、１つのモニター１Ａにおいて設定された設定データが、他のモニター１Ｂに対して転送され、自動的に設定が行われたことになる。
【００３９】
次に、データロックの設定を行う場合の手順を図６のフローチャートにより説明する。これは、モニター１を使用する生産設備等を生産する事業者でモニター１の設定を行った後、このモニター１が出荷されてユーザーに渡った場合において、ユーザーによる設定変更を許可すべきか否かを設定するものである。許可・不許可の設定は、図２で説明したデータロック手段１３・ロック解除手段１４の機能に基づいて行われる。
【００４０】
図６は、データロックに設定されている状態からの設定変更を示している。モニター１のＯＳＤ画面１８を起動させる（＃５１）。設定データの設定変更を許可するか否かを判断し（＃５２）、許可するのであればＯＳＤ画面で設定変更可能な状態に設定する。（＃５４）。また、許可しないのであれば、設定変更不許可の状態が維持される（＃５３）。また、ステップ５４の後、設定変更を不許可するのであれば、設定変更を不許可に変更し、これにより、ＯＳＤ画面１８において設定変更が不可能になり、データロック状態となる（＃５５，５７）。変更しないのであれば、設定変更可能な状態が維持される（＃５６）。以上のように、一度モニター１で設定変更不許可の設定を行うと、それ以後は、モニター１において設定変更が行うことができず、ユーザーによる不用意な設定変更を防止することができる。
【００４１】
次に、データロックが解除されている状態からの設定変更について図７のフローチャートにより説明する。まず、モニター１のＯＳＤ画面１８を起動させる（＃６１）。次に、設定変更を不許可に設定するか否かを判断し（＃６２）、不許可にする場合はその状態に設定する（＃６４）。許可するのであれば、ＯＳＤ画面１８での設定変更可能状態が維持される（＃６３）。また、ステップ６４の後、設定変更を許可する状態に変更するのであれば、設定変更許可の状態に変更する（＃６５，６７）。そうでなければ設定変更不可能な状態が維持される（＃６６）。このような不許可から許可への設定変更は、モニター１において行うのではなく、管理用パソコン３を介して行なわれる。すなわち、パソコン３から設定変更許可をするための変更コマンドを当該モニター１に対して送信することで、ロック解除手段１４の機能に基づき、許可状態に変更することができる。これにより、以後は、モニター１のＯＳＤ画面による設定変更が可能になる。
【００４２】
以上のように、本発明によれば、１つのモニター１Ａで設定した設定データを他のモニター１Bに対して送信することで、他のモニター１Bにおける設定作業を簡素化することができる。また、１つのモニター１Ａにおいて手動で微調整を行った場合も、その微調整を含む設定データを他のモニター１Ｂに転送することができる。また、設定データを転送した場合も、各モニター１Ｂで手動調整を行うようにしておけば、例えば、個々のモニター１Ｂの設定される環境や作業者の好みに応じた設定を行うことができる。
【００４３】
＜別実施形態＞
設定データの展開については、シリアル通信やＬＡＮ等による通信手段によるものではなく、メモリカード等の外部記憶媒体を介して設定データを展開するようにしてもよい。メモリカードとしては、例えば、コンパクトフラッシュ（登録商標）、スマートメディア（登録商標）、メモリースティック（登録商標）等が例としてあげられる。
【００４４】
ロック解除の方法として、パソコン３からコマンドを送信することで行っているが、これに代えてモニターでロック解除するようにしてもよい。例えば、画面において解除キーを入力することで解除するようにすることができる。
【図面の簡単な説明】
【００４５】
【図１】モニターディスプレイ設定システムの概要を示す模式図
【図２】モニターディスプレイ設定システムの機能を示すブロック図
【図３】モニターの設定を行う場合の手順を示すフローチャート
【図４】設定データを管理用パソコンに保存する手順を示すフローチャート
【図５】設定データを他のモニターに展開するときの手順を示すフローチャート
【図６】データロックの設定を行う場合の手順を示すフローチャート
【図７】データロックの解除を行う場合の手順を示すフローチャート
【図８】従来技術に係るモニターの構成を示すブロック図
【図９】従来技術に係るモニターの設定作業を示すフローチャート
【符号の説明】
【００４６】
１０      ＣＰＵ
１１      メモリ
１２      設定操作部
１２ａ    自動設定手段
１２ｂ    第１操作手段
１２ｃ    第２操作手段
１３      データロック手段
１４      ロック解除手段
１５      設定データ置換手段
１７      画質設定回路
１８      ＯＳＤ画面
１９      画面
２０      データ送受信部
２０ａ    設定データ送信手段
２０ｂ    設定データ受信手段
【図１】
2006293001.tif 000003
【図２】
2006293001.tif 000004
【図３】
2006293001.tif 000005
【図４】
2006293001.tif 000006
【図５】
2006293001.tif 000007
【図６】
2006293001.tif 000008
【図７】
2006293001.tif 000009
【図８】
2006293001.tif 000010
【図９】
2006293001.tif 000011